(57)【要約】【課題】  利用者によるメンテナンスの利便性を向上することができるインク量表示プログラム、インク量表示装置、インク量表示方法およびグラフィカルユーザーインターフェイスを提供する。【解決手段】  プリンター制御装置は、表示部における表示を制御する表示制御手段と、３ＤプリンターのインクタンクにおけるＵＶインクの貯留量を取得する供給インク貯留量取得手段と、特定のデータに基づいた３Ｄプリンターによる印刷に対して予測される、インクタンクからのＵＶインクの使用量を取得する予測使用量取得手段とを備え、表示制御手段は、供給インク貯留量取得手段によって取得された貯留量を表示するサポートインク残量表示領域１１３ａと、予測使用量取得手段によって取得された使用量を表示するサポートインク予測使用量表示領域１３４ａとを表示部に表示することを特徴とする。【選択図】  図５
2018089776.tif 000002
【特許請求の範囲】
【請求項１】
表示デバイスにおける表示を制御する表示制御手段と、
供給するためのインクを貯留する供給インク貯留部を備えるインクジェットプリンターの前記供給インク貯留部におけるインクの貯留量を取得する供給インク貯留量取得手段と、
特定のデータに基づいた前記インクジェットプリンターによる印刷に対して予測される、前記供給インク貯留部からのインクの使用量を取得する予測使用量取得手段と
をコンピューターに実現させ、
前記表示制御手段は、
前記供給インク貯留量取得手段によって取得された前記貯留量と、
前記予測使用量取得手段によって取得された前記使用量と
を前記表示デバイスに表示することを特徴とするインク量表示プログラム。
【請求項２】
前記表示制御手段は、前記貯留量および前記使用量を前記表示デバイスに同時に表示することを特徴とする請求項１に記載のインク量表示プログラム。
【請求項３】
前記表示制御手段は、前記貯留量および前記使用量を並べて前記表示デバイスに表示することを特徴とする請求項２に記載のインク量表示プログラム。
【請求項４】
表示デバイスにおける表示を制御する表示制御手段と、
廃棄するためのインクを貯留する廃棄インク貯留部を備えるインクジェットプリンターの前記廃棄インク貯留部におけるインクの貯留量を取得する廃棄インク貯留量取得手段と、
特定のデータに基づいた前記インクジェットプリンターによる印刷に対して予測される、前記廃棄インク貯留部へのインクの廃棄量を取得する予測廃棄量取得手段と
をコンピューターに実現させ、
前記表示制御手段は、
前記廃棄インク貯留量取得手段によって取得された前記貯留量と、
前記予測廃棄量取得手段によって取得された前記廃棄量と
を前記表示デバイスに表示することを特徴とするインク量表示プログラム。
【請求項５】
表示デバイスにおける表示を制御する表示制御手段と、
供給するためのインクを貯留する供給インク貯留部を備えるインクジェットプリンターの前記供給インク貯留部におけるインクの貯留量を取得する供給インク貯留量取得手段と、
特定のデータに基づいた前記インクジェットプリンターによる印刷に対して予測される、前記供給インク貯留部からのインクの使用量を取得する予測使用量取得手段と
を備え、
前記表示制御手段は、
前記供給インク貯留量取得手段によって取得された前記貯留量と、
前記予測使用量取得手段によって取得された前記使用量と
を前記表示デバイスに表示することを特徴とするインク量表示装置。
【請求項６】
表示デバイスにおける表示を制御する表示制御手段と、
廃棄するためのインクを貯留する廃棄インク貯留部を備えるインクジェットプリンターの前記廃棄インク貯留部におけるインクの貯留量を取得する廃棄インク貯留量取得手段と、
特定のデータに基づいた前記インクジェットプリンターによる印刷に対して予測される、前記廃棄インク貯留部へのインクの廃棄量を取得する予測廃棄量取得手段と
を備え、
前記表示制御手段は、
前記廃棄インク貯留量取得手段によって取得された前記貯留量と、
前記予測廃棄量取得手段によって取得された前記廃棄量と
を前記表示デバイスに表示することを特徴とするインク量表示装置。
【請求項７】
表示デバイスにおける表示を制御する表示制御ステップと、
供給するためのインクを貯留する供給インク貯留部を備えるインクジェットプリンターの前記供給インク貯留部におけるインクの貯留量を取得する供給インク貯留量取得ステップと、
特定のデータに基づいた前記インクジェットプリンターによる印刷に対して予測される、前記供給インク貯留部からのインクの使用量を取得する予測使用量取得ステップと
を備え、
前記表示制御ステップは、
前記供給インク貯留量取得ステップによって取得された前記貯留量と、
前記予測使用量取得ステップによって取得された前記使用量と
を前記表示デバイスに表示するステップであることを特徴とするインク量表示方法。
【請求項８】
表示デバイスにおける表示を制御する表示制御ステップと、
廃棄するためのインクを貯留する廃棄インク貯留部を備えるインクジェットプリンターの前記廃棄インク貯留部におけるインクの貯留量を取得する廃棄インク貯留量取得ステップと、
特定のデータに基づいた前記インクジェットプリンターによる印刷に対して予測される、前記廃棄インク貯留部へのインクの廃棄量を取得する予測廃棄量取得ステップと
を備え、
前記表示制御ステップは、
前記廃棄インク貯留量取得ステップによって取得された前記貯留量と、
前記予測廃棄量取得ステップによって取得された前記廃棄量と
を前記表示デバイスに表示するステップであることを特徴とするインク量表示方法。
【請求項９】
供給するためのインクを貯留する供給インク貯留部を備えるインクジェットプリンターの前記供給インク貯留部におけるインクの貯留量を表示する供給インク貯留量表示領域と、
特定のデータに基づいた前記インクジェットプリンターによる印刷に対して予測される、前記供給インク貯留部からのインクの使用量を表示する予測使用量表示領域と
を備えることを特徴とするグラフィカルユーザーインターフェイス。
【請求項１０】
廃棄するためのインクを貯留する廃棄インク貯留部を備えるインクジェットプリンターの前記廃棄インク貯留部におけるインクの貯留量を表示する廃棄インク貯留量表示領域と、
特定のデータに基づいた前記インクジェットプリンターによる印刷に対して予測される、前記廃棄インク貯留部へのインクの廃棄量を表示する予測廃棄量表示領域と
を備えることを特徴とするグラフィカルユーザーインターフェイス。
【発明の詳細な説明】
【技術分野】
【０００１】
本発明は、インクジェットプリンターにおけるインクの量を表示するためのインク量表示プログラム、インク量表示装置、インク量表示方法およびグラフィカルユーザーインターフェイスに関する。
【背景技術】
【０００２】
従来、インクジェットプリンターの供給インク貯留部におけるインクの貯留量が特定の量以下になった場合に警告を発する技術が知られている（例えば、特許文献１参照。）。
【先行技術文献】
【特許文献】
【０００３】
【特許文献１】特開２０１６−１７５３７７号公報
【発明の概要】
【発明が解決しようとする課題】
【０００４】
しかしながら、従来の技術においては、供給インク貯留部におけるインクの貯留量が実際に特定の量以下になった場合にのみ警告を発するので、大量のインクを消費する印刷のためのデータに基づいてインクジェットプリンターによって印刷が実行されるとき、この印刷を完了するためには供給インク貯留部におけるインクの貯留量が足りないことを、この印刷の開始後に実際に警告が発せられるまで、利用者に認識させることができず、利用者による「供給インク貯留部へのインクの補充」というメンテナンスの利便性が悪いという問題がある。
【０００５】
また、従来の技術においては、大量のインクを消費する印刷のためのデータに基づいたインクジェットプリンターによる印刷において供給インク貯留部におけるインクの貯留量が特定の量以下になって警告が発せられた場合に、どの程度の量のインクを補充すれば、再度警告が発せられずにこの印刷を完了することができるかを、利用者に認識させることができず、利用者による「供給インク貯留部へのインクの補充」というメンテナンスの利便性が悪いという問題がある。
【０００６】
そこで、本発明は、利用者によるメンテナンスの利便性を向上することができるインク量表示プログラム、インク量表示装置、インク量表示方法およびグラフィカルユーザーインターフェイスを提供することを目的とする。
【課題を解決するための手段】
【０００７】
本発明のインク量表示プログラムは、表示デバイスにおける表示を制御する表示制御手段と、供給するためのインクを貯留する供給インク貯留部を備えるインクジェットプリンターの前記供給インク貯留部におけるインクの貯留量を取得する供給インク貯留量取得手段と、特定のデータに基づいた前記インクジェットプリンターによる印刷に対して予測される、前記供給インク貯留部からのインクの使用量を取得する予測使用量取得手段とをコンピューターに実現させ、前記表示制御手段は、前記供給インク貯留量取得手段によって取得された前記貯留量と、前記予測使用量取得手段によって取得された前記使用量とを前記表示デバイスに表示することを特徴とする。
【０００８】
この構成により、本発明のインク量表示プログラムを実行するコンピューターは、インクジェットプリンターの供給インク貯留部におけるインクの貯留量と、特定のデータに基づいたインクジェットプリンターによる印刷に対して予測される、供給インク貯留部からのインクの使用量とを表示デバイスに表示するので、特定のデータに基づいたインクジェットプリンターによる印刷がスムーズに実行されるために供給インク貯留部に補充されるべきインクの量を利用者に具体的に認識させることができる。したがって、本発明のインク量表示プログラムを実行するコンピューターは、利用者による「供給インク貯留部へのインクの補充」というメンテナンスの利便性を向上することができる。
【０００９】
本発明のインク量表示プログラムにおいて、前記表示制御手段は、前記貯留量および前記使用量を前記表示デバイスに同時に表示しても良い。
【００１０】
この構成により、本発明のインク量表示プログラムを実行するコンピューターは、インクジェットプリンターの供給インク貯留部におけるインクの貯留量と、特定のデータに基づいたインクジェットプリンターによる印刷に対して予測される、供給インク貯留部からのインクの使用量とを同時に表示デバイスに表示するので、特定のデータに基づいたインクジェットプリンターによる印刷がスムーズに実行されるために供給インク貯留部に補充されるべきインクの量を利用者に容易に認識させることができる。
【００１１】
本発明のインク量表示プログラムにおいて、前記表示制御手段は、前記貯留量および前記使用量を並べて前記表示デバイスに表示しても良い。
【００１２】
この構成により、本発明のインク量表示プログラムを実行するコンピューターは、インクジェットプリンターの供給インク貯留部におけるインクの貯留量と、特定のデータに基づいたインクジェットプリンターによる印刷に対して予測される、供給インク貯留部からのインクの使用量とを並べて表示デバイスに表示するので、特定のデータに基づいたインクジェットプリンターによる印刷がスムーズに実行されるために供給インク貯留部に補充されるべきインクの量を利用者に更に容易に認識させることができる。
【００１３】
本発明のインク量表示プログラムは、表示デバイスにおける表示を制御する表示制御手段と、廃棄するためのインクを貯留する廃棄インク貯留部を備えるインクジェットプリンターの前記廃棄インク貯留部におけるインクの貯留量を取得する廃棄インク貯留量取得手段と、特定のデータに基づいた前記インクジェットプリンターによる印刷に対して予測される、前記廃棄インク貯留部へのインクの廃棄量を取得する予測廃棄量取得手段とをコンピューターに実現させ、前記表示制御手段は、前記廃棄インク貯留量取得手段によって取得された前記貯留量と、前記予測廃棄量取得手段によって取得された前記廃棄量とを前記表示デバイスに表示することを特徴とする。
【００１４】
この構成により、本発明のインク量表示プログラムを実行するコンピューターは、インクジェットプリンターの廃棄インク貯留部におけるインクの貯留量と、特定のデータに基づいたインクジェットプリンターによる印刷に対して予測される、廃棄インク貯留部へのインクの廃棄量とを表示デバイスに表示するので、特定のデータに基づいたインクジェットプリンターによる印刷がスムーズに実行されるために廃棄インク貯留部から廃棄されるべきインクの量を利用者に具体的に認識させることができる。したがって、本発明のインク量表示プログラムを実行するコンピューターは、利用者による「廃棄インク貯留部からのインクの廃棄」というメンテナンスの利便性を向上することができる。
【００１５】
本発明のインク量表示装置は、表示デバイスにおける表示を制御する表示制御手段と、供給するためのインクを貯留する供給インク貯留部を備えるインクジェットプリンターの前記供給インク貯留部におけるインクの貯留量を取得する供給インク貯留量取得手段と、特定のデータに基づいた前記インクジェットプリンターによる印刷に対して予測される、前記供給インク貯留部からのインクの使用量を取得する予測使用量取得手段とを備え、前記表示制御手段は、前記供給インク貯留量取得手段によって取得された前記貯留量と、前記予測使用量取得手段によって取得された前記使用量とを前記表示デバイスに表示することを特徴とする。
【００１６】
この構成により、本発明のインク量表示装置は、インクジェットプリンターの供給インク貯留部におけるインクの貯留量と、特定のデータに基づいたインクジェットプリンターによる印刷に対して予測される、供給インク貯留部からのインクの使用量とを表示デバイスに表示するので、特定のデータに基づいたインクジェットプリンターによる印刷がスムーズに実行されるために供給インク貯留部に補充されるべきインクの量を利用者に具体的に認識させることができる。したがって、本発明のインク量表示装置は、利用者による「供給インク貯留部へのインクの補充」というメンテナンスの利便性を向上することができる。
【００１７】
本発明のインク量表示装置は、表示デバイスにおける表示を制御する表示制御手段と、廃棄するためのインクを貯留する廃棄インク貯留部を備えるインクジェットプリンターの前記廃棄インク貯留部におけるインクの貯留量を取得する廃棄インク貯留量取得手段と、特定のデータに基づいた前記インクジェットプリンターによる印刷に対して予測される、前記廃棄インク貯留部へのインクの廃棄量を取得する予測廃棄量取得手段とを備え、前記表示制御手段は、前記廃棄インク貯留量取得手段によって取得された前記貯留量と、前記予測廃棄量取得手段によって取得された前記廃棄量とを前記表示デバイスに表示することを特徴とする。
【００１８】
この構成により、本発明のインク量表示装置は、インクジェットプリンターの廃棄インク貯留部におけるインクの貯留量と、特定のデータに基づいたインクジェットプリンターによる印刷に対して予測される、廃棄インク貯留部へのインクの廃棄量とを表示デバイスに表示するので、特定のデータに基づいたインクジェットプリンターによる印刷がスムーズに実行されるために廃棄インク貯留部から廃棄されるべきインクの量を利用者に具体的に認識させることができる。したがって、本発明のインク量表示装置は、利用者による「廃棄インク貯留部からのインクの廃棄」というメンテナンスの利便性を向上することができる。
【００１９】
本発明のインク量表示方法は、表示デバイスにおける表示を制御する表示制御ステップと、供給するためのインクを貯留する供給インク貯留部を備えるインクジェットプリンターの前記供給インク貯留部におけるインクの貯留量を取得する供給インク貯留量取得ステップと、特定のデータに基づいた前記インクジェットプリンターによる印刷に対して予測される、前記供給インク貯留部からのインクの使用量を取得する予測使用量取得ステップとを備え、前記表示制御ステップは、前記供給インク貯留量取得ステップによって取得された前記貯留量と、前記予測使用量取得ステップによって取得された前記使用量とを前記表示デバイスに表示するステップであることを特徴とする。
【００２０】
この構成により、本発明のインク量表示方法は、インクジェットプリンターの供給インク貯留部におけるインクの貯留量と、特定のデータに基づいたインクジェットプリンターによる印刷に対して予測される、供給インク貯留部からのインクの使用量とを表示デバイスに表示するので、特定のデータに基づいたインクジェットプリンターによる印刷がスムーズに実行されるために供給インク貯留部に補充されるべきインクの量を利用者に具体的に認識させることができる。したがって、本発明のインク量表示方法は、利用者による「供給インク貯留部へのインクの補充」というメンテナンスの利便性を向上することができる。
【００２１】
本発明のインク量表示方法は、表示デバイスにおける表示を制御する表示制御ステップと、廃棄するためのインクを貯留する廃棄インク貯留部を備えるインクジェットプリンターの前記廃棄インク貯留部におけるインクの貯留量を取得する廃棄インク貯留量取得ステップと、特定のデータに基づいた前記インクジェットプリンターによる印刷に対して予測される、前記廃棄インク貯留部へのインクの廃棄量を取得する予測廃棄量取得ステップとを備え、前記表示制御ステップは、前記廃棄インク貯留量取得ステップによって取得された前記貯留量と、前記予測廃棄量取得ステップによって取得された前記廃棄量とを前記表示デバイスに表示するステップであることを特徴とする。
【００２２】
この構成により、本発明のインク量表示方法は、インクジェットプリンターの廃棄インク貯留部におけるインクの貯留量と、特定のデータに基づいたインクジェットプリンターによる印刷に対して予測される、廃棄インク貯留部へのインクの廃棄量とを表示デバイスに表示するので、特定のデータに基づいたインクジェットプリンターによる印刷がスムーズに実行されるために廃棄インク貯留部から廃棄されるべきインクの量を利用者に具体的に認識させることができる。したがって、本発明のインク量表示方法は、利用者による「廃棄インク貯留部からのインクの廃棄」というメンテナンスの利便性を向上することができる。
【００２３】
本発明のグラフィカルユーザーインターフェイスは、供給するためのインクを貯留する供給インク貯留部を備えるインクジェットプリンターの前記供給インク貯留部におけるインクの貯留量を表示する供給インク貯留量表示領域と、特定のデータに基づいた前記インクジェットプリンターによる印刷に対して予測される、前記供給インク貯留部からのインクの使用量を表示する予測使用量表示領域とを備えることを特徴とする。
【００２４】
この構成により、本発明のグラフィカルユーザーインターフェイスは、インクジェットプリンターの供給インク貯留部におけるインクの貯留量と、特定のデータに基づいたインクジェットプリンターによる印刷に対して予測される、供給インク貯留部からのインクの使用量とを表示デバイスに表示するので、特定のデータに基づいたインクジェットプリンターによる印刷がスムーズに実行されるために供給インク貯留部に補充されるべきインクの量を利用者に具体的に認識させることができる。したがって、本発明のグラフィカルユーザーインターフェイスは、利用者による「供給インク貯留部へのインクの補充」というメンテナンスの利便性を向上することができる。
【００２５】
本発明のグラフィカルユーザーインターフェイスは、廃棄するためのインクを貯留する廃棄インク貯留部を備えるインクジェットプリンターの前記廃棄インク貯留部におけるインクの貯留量を表示する廃棄インク貯留量表示領域と、特定のデータに基づいた前記インクジェットプリンターによる印刷に対して予測される、前記廃棄インク貯留部へのインクの廃棄量を表示する予測廃棄量表示領域とを備えることを特徴とする。
【００２６】
この構成により、本発明のグラフィカルユーザーインターフェイスは、インクジェットプリンターの廃棄インク貯留部におけるインクの貯留量と、特定のデータに基づいたインクジェットプリンターによる印刷に対して予測される、廃棄インク貯留部へのインクの廃棄量とを表示デバイスに表示するので、特定のデータに基づいたインクジェットプリンターによる印刷がスムーズに実行されるために廃棄インク貯留部から廃棄されるべきインクの量を利用者に具体的に認識させることができる。したがって、本発明のグラフィカルユーザーインターフェイスは、利用者による「廃棄インク貯留部からのインクの廃棄」というメンテナンスの利便性を向上することができる。
【発明の効果】
【００２７】
本発明のインク量表示プログラム、インク量表示装置、インク量表示方法およびグラフィカルユーザーインターフェイスは、利用者によるメンテナンスの利便性を向上することができる。
【図面の簡単な説明】
【００２８】
【図１】本発明の一実施の形態に係る三次元造形システムのブロック図である。
【図２】図１に示す３Ｄプリンターの正面図である。
【図３】図１に示す３Ｄプリンターのブロック図である。
【図４】図１に示すプリンター制御装置のブロック図である。
【図５】図４に示す表示部に表示されるグラフィカルユーザーインターフェイスの一例を示す図である。
【図６】サポートインク残量表示領域に表示されるサポートインクの残量を更新する場合の図４に示すプリンター制御装置の動作のフローチャートである。
【図７】廃インク量表示領域に表示される、廃インクタンクにおけるＵＶインクの貯留量を更新する場合の図４に示すプリンター制御装置の動作のフローチャートである。
【図８】サポートインク予測使用量表示領域に表示されるサポートインクの使用量を更新する場合の図４に示すプリンター制御装置の動作のフローチャートである。
【図９】廃インク量予測表示領域に表示される、廃インクタンクへのＵＶインクの廃棄量を更新する場合の図４に示すプリンター制御装置の動作のフローチャートである。
【図１０】図４に示す表示部に表示されるグラフィカルユーザーインターフェイスの一例であって、図５に示す例とは異なる例の一部を示す図である。
【発明を実施するための形態】
【００２９】
以下、本発明の一実施の形態について、図面を用いて説明する。
【００３０】
まず、本実施の形態に係る三次元造形システムの構成について説明する。
【００３１】
図１は、本実施の形態に係る三次元造形システム１０のブロック図である。
【００３２】
図１に示すように、三次元造形システム１０は、インクによる印刷によって三次元造形物を造形するインクジェットプリンターである３Ｄプリンター２０と、３Ｄプリンター２０を制御するプリンター制御装置４０とを備えている。プリンター制御装置４０は、３Ｄプリンター２０が処理可能な造形データを、例えばＯＢＪ形式、３ＭＦ形式、ＳＴＬ形式などの形式の３Ｄモデルデータに基づいて生成する装置である。
【００３３】
図２は、３Ｄプリンター２０の正面図である。
【００３４】
図２に示すように、３Ｄプリンター２０は、鉛直方向２０ａにおける下側に紫外線硬化型インク（以下「ＵＶインク」と言う。）２１ａを吐出する複数のインクジェットヘッド２１と、インクジェットヘッド２１によって吐出されて形成されたＵＶインク２１ａの層２１ｂを接触によって平坦化するための平坦化部材としての平坦化ローラー２２と、ＵＶインク２１ａの層２１ｂに紫外線２３ａを照射するための紫外線照射装置２３とを搭載しているキャリッジ２４を備えている。
【００３５】
なお、図２においては、インクジェットヘッド２１が１つしか描かれていない。しかしながら、実際には、３Ｄプリンター２０は、ＵＶインク２１ａの種類毎にインクジェットヘッド２１を備えている。
【００３６】
ＵＶインク２１ａとしては、例えば、三次元造形物の材料になる造形インクと、造形インクによって任意の形状の三次元造形物を形成するために三次元造形物を支持するサポート部の材料になるサポートインクとが存在する。
【００３７】
造形インクとしては、例えば、三次元造形物の基礎部分の材料になる白色のモデルインクと、三次元造形物においてモデルインクの外側に配置されることによって三次元造形物の表面部分を加飾するためのカラーインクと、三次元造形物においてモデルインクまたはカラーインクの外側に配置されることによって三次元造形物の表面部分を加飾するためのクリアーインクとが存在する。カラーインクとしては、例えば、シアンインク、マゼンタインク、イエローインクおよびブラックインクが存在する。
【００３８】
サポートインクは、例えば、水などの特定の液体によって容易に除去されることが可能なインクである。３Ｄプリンター２０において、サポート部は、三次元造形物に対して鉛直方向２０ａにおける下側や水平方向に形成される。例えば、サポート部は、三次元造形物がオーバーハング部を備える場合に、オーバーハング部に対して鉛直方向２０ａにおける下側に形成されてオーバーハング部を支持する。
【００３９】
３Ｄプリンター２０は、インクジェットヘッド２１によって吐出されて紫外線照射装置２３による紫外線２３ａによって硬化されたＵＶインク２１ａによって形成される三次元造形物やサポート部を支持する支持面２５ａが形成されている台２５を備えている。支持面２５ａは、鉛直方向２０ａに直交する水平方向に延在している。
【００４０】
キャリッジ２４および台２５の一方は、他方に対して水平方向に相対移動可能である。
【００４１】
例えば、キャリッジ２４は、水平方向のうち主走査方向２０ｂに移動可能に図示していない機構によって支持されていることによって、台２５に対して主走査方向２０ｂに相対移動可能である。なお、以下においては、キャリッジ２４が主走査方向２０ｂに移動することによって台２５に対して主走査方向２０ｂに相対移動する例について説明するが、台２５が主走査方向２０ｂに移動することによってキャリッジ２４に対して主走査方向２０ｂに相対移動しても良いし、キャリッジ２４および台２５がそれぞれ主走査方向２０ｂに移動することによってキャリッジ２４および台２５の一方が他方に対して主走査方向２０ｂに相対移動しても良い。
【００４２】
また、キャリッジ２４は、水平方向のうち主走査方向２０ｂに直交する副走査方向に移動可能に図示していない機構によって支持されていることによって、台２５に対して副走査方向に相対移動可能である。なお、以下においては、キャリッジ２４が副走査方向に移動することによって台２５に対して副走査方向に相対移動する例について説明するが、台２５が副走査方向に移動することによってキャリッジ２４に対して副走査方向に相対移動しても良いし、キャリッジ２４および台２５がそれぞれ副走査方向に移動することによってキャリッジ２４および台２５の一方が他方に対して副走査方向に相対移動しても良い。
【００４３】
キャリッジ２４および台２５の一方は、他方に対して鉛直方向２０ａに相対移動可能である。例えば、台２５は、鉛直方向２０ａに移動可能に図示していない機構によって支持されていることによって、キャリッジ２４に対して鉛直方向２０ａに相対移動可能である。なお、以下においては、台２５が鉛直方向２０ａに移動することによってキャリッジ２４に対して鉛直方向２０ａに相対移動する例について説明するが、キャリッジ２４が鉛直方向２０ａに移動することによって台２５に対して鉛直方向２０ａに相対移動しても良いし、キャリッジ２４および台２５がそれぞれ鉛直方向２０ａに移動することによってキャリッジ２４および台２５の一方が他方に対して鉛直方向２０ａに相対移動しても良い。
【００４４】
３Ｄプリンター２０は、インクジェットヘッド２１に供給されるＵＶインク２１ａを貯留している供給インク貯留部としてのインクタンク２６と、造形インクやサポートインクによって形成される層２１ｂを平坦化するために平坦化ローラー２２によって層２１ｂから掻き取られたＵＶインク２１ａや、インクジェットヘッド２１などのメンテナンスによって排出されたＵＶインク２１ａなど、造形（印刷）が実行されるために廃棄されるＵＶインク２１ａを貯留するための廃棄インク貯留部としての廃インクタンク２７とを備えている。
【００４５】
なお、図２においては、インクタンク２６が１つしか描かれていない。しかしながら、実際には、３Ｄプリンター２０は、ＵＶインク２１ａの種類毎にインクタンク２６を備えている。
【００４６】
図３は、３Ｄプリンター２０のブロック図である。
【００４７】
図３に示すように、３Ｄプリンター２０は、キャリッジ２４（図２参照。）を主走査方向２０ｂ（図２参照。）に移動させる主走査方向移動装置２８と、キャリッジ２４を副走査方向に移動させる副走査方向移動装置２９と、台２５（図２参照。）を鉛直方向２０ａ（図２参照。）に移動させる鉛直方向移動装置３０と、インクタンク２６（図２参照。）に貯留されているＵＶインク２１ａ（図２参照。）の量を検出するためにインクタンク２６毎に設置されているインク量センサー３１と、廃インクタンク２７（図２参照。）に貯留されているＵＶインク２１ａの量を検出するために廃インクタンク２７に設置されている廃インク量センサー３２と、種々の操作が入力されるボタンなどの入力デバイスである操作部３３と、種々の情報を表示するＬＣＤ（Ｌｉｑｕｉｄ  Ｃｒｙｓｔａｌ  Ｄｉｓｐｌａｙ）などの表示デバイスである表示部３４と、ＬＡＮ（Ｌｏｃａｌ  Ａｒｅａ  Ｎｅｔｗｏｒｋ）などのネットワークを介して、または、ネットワークを介さずに有線または無線で直接に、外部の装置と通信を行う通信デバイスである通信部３５と、各種の情報を記憶する半導体メモリー、ＨＤＤ（Ｈａｒｄ  Ｄｉｓｋ  Ｄｒｉｖｅ）などの不揮発性の記憶デバイスである記憶部３６と、３Ｄプリンター２０全体を制御する制御部３７とを備えている。
【００４８】
制御部３７は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３６に記憶されているプログラムを実行するようになっている。
【００４９】
制御部３７は、通信部３５を介してプリンター制御装置４０（図１参照。）から入力された造形データに基づいて、インクジェットヘッド２１、紫外線照射装置２３、主走査方向移動装置２８、副走査方向移動装置２９および鉛直方向移動装置３０を制御する。具体的には、制御部３７は、副走査方向移動装置２９によって台２５に対する副走査方向におけるキャリッジ２４の位置を変更する度に、主走査方向移動装置２８によって主走査方向２０ｂにキャリッジ２４を移動させながら、インクジェットヘッド２１および紫外線照射装置２３によって造形インクやサポートインクによる水平方向に延在する層２１ｂを形成する。そして、制御部３７は、鉛直方向移動装置３０によってキャリッジ２４に対する鉛直方向２０ａにおける台２５の位置を変更する度に、上述した動作を繰り返すことによって、造形インクやサポートインクによる水平方向に延在する層２１ｂを鉛直方向２０ａに積み上げて、台２５上に三次元造形物やサポート部を形成する。
【００５０】
図４は、プリンター制御装置４０のブロック図である。
【００５１】
図４に示すように、プリンター制御装置４０は、種々の操作が入力されるキーボード、マウスなどの入力デバイスである操作部４１と、種々の情報を表示するＬＣＤなどの表示デバイスである表示部４２と、ＬＡＮなどのネットワークを介して、または、ネットワークを介さずに有線または無線で直接に、外部の装置と通信を行う通信デバイスである通信部４３と、各種の情報を記憶する半導体メモリー、ＨＤＤなどの不揮発性の記憶デバイスである記憶部４４と、プリンター制御装置４０全体を制御する制御部４５とを備えている。プリンター制御装置４０は、例えば、ＰＣ（Ｐｅｒｓｏｎａｌ  Ｃｏｍｐｕｔｅｒ）などのコンピューターによって構成されている。
【００５２】
記憶部４４は、３Ｄプリンター２０（図３参照。）を制御するためのプリンター制御プログラム４４ａを記憶している。プリンター制御プログラム４４ａは、プリンター制御装置４０の製造段階でプリンター制御装置４０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からプリンター制御装置４０に追加でインストールされても良いし、ネットワーク上からプリンター制御装置４０に追加でインストールされても良い。
【００５３】
制御部４５は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部４４に記憶されているプログラムを実行するようになっている。
【００５４】
制御部４５は、プリンター制御プログラム４４ａを実行することによって、表示部４２における表示を制御する表示制御手段４５ａと、インクタンク２６（図２参照。）におけるＵＶインク２１ａ（図２参照。）の貯留量を取得する供給インク貯留量取得手段４５ｂと、廃インクタンク２７（図２参照。）におけるＵＶインク２１ａの貯留量を取得する廃棄インク貯留量取得手段４５ｃと、特定の３Ｄモデルデータに基づいた３Ｄプリンター２０による印刷に対して予測される、インクタンク２６からのＵＶインク２１ａの使用量を取得する予測使用量取得手段４５ｄと、特定の３Ｄモデルデータに基づいた３Ｄプリンター２０による印刷に対して予測される、廃インクタンク２７へのＵＶインク２１ａの廃棄量を取得する予測廃棄量取得手段４５ｅとを実現する。
【００５５】
なお、後述するように、表示制御手段４５ａは、供給インク貯留量取得手段４５ｂによって取得された貯留量と、廃棄インク貯留量取得手段４５ｃによって取得された貯留量と、予測使用量取得手段４５ｄによって取得された使用量と、予測廃棄量取得手段４５ｅによって取得された廃棄量とを表示部４２に表示する。したがって、プリンター制御装置４０、プリンター制御プログラム４４ａは、それぞれ、本発明のインク量表示装置、インク量表示プログラムを構成している。
【００５６】
次に、プリンター制御装置４０の動作について説明する。
【００５７】
図５は、表示部４２に表示されるグラフィカルユーザーインターフェイス（以下「ＧＵＩ」と言う。）１００の一例を示す図である。
【００５８】
プリンター制御装置４０が起動されると、表示制御手段４５ａは、図５に示すＧＵＩ１００を表示部４２に表示する。
【００５９】
図５に示すように、ＧＵＩ１００は、３Ｄプリンター２０やプリンター制御装置４０の情報が常に表示される常時表示領域１１０と、タブによって表示内容が切り替えられる表示切替領域１２０とを含んでいる。
【００６０】
常時表示領域１１０は、プリンター制御プログラム４４ａのバージョンを示すアプリケーションバージョン表示領域１１１ａと、プリンター制御装置４０のＩＰ（Ｉｎｔｅｒｎｅｔ  Ｐｒｏｔｏｃｏｌ）アドレスを示すＩＰアドレス表示領域１１１ｂとを含んでいる。
【００６１】
常時表示領域１１０は、３Ｄプリンター２０の名称を示すプリンター名表示領域１１２ａと、３Ｄプリンター２０のシリアルナンバーを示すシリアルナンバー表示領域１１２ｂと、３Ｄプリンター２０のファームウェアのバージョンを示すＦＷバージョン表示領域１１２ｃと、３Ｄプリンター２０の状態として「造形中」、「待機中」および「印刷不可」の何れかの状態を示す状態表示領域１１２ｄとを含んでいる。
【００６２】
常時表示領域１１０は、サポートインクのインクタンク２６におけるサポートインクの貯留量、すなわち、残量をグラフおよび数値で示す供給インク貯留量表示領域としてのサポートインク残量表示領域１１３ａを含んでいる。モデルインク、クリアーインク、シアンインク、マゼンタインク、イエローインク、ブラックインクについても同様に、常時表示領域１１０は、モデルインク残量表示領域１１３ｂ、クリアーインク残量表示領域１１３ｃ、シアンインク残量表示領域１１３ｄ、マゼンタインク残量表示領域１１３ｅ、イエローインク残量表示領域１１３ｆ、ブラックインク残量表示領域１１３ｇを含んでいる。また、常時表示領域１１０は、廃インクタンク２７におけるＵＶインク２１ａの貯留量を示す廃棄インク貯留量表示領域としての廃インク量表示領域１１３ｈを含んでいる。
【００６３】
サポートインク残量表示領域１１３ａのグラフは、サポートインクのインクタンク２６におけるサポートインクの最大貯留量を全体の矩形で示しており、サポートインクのインクタンク２６におけるサポートインクの貯留量を全体の矩形に含まれる左側の矩形で示している。モデルインク残量表示領域１１３ｂ、クリアーインク残量表示領域１１３ｃ、シアンインク残量表示領域１１３ｄ、マゼンタインク残量表示領域１１３ｅ、イエローインク残量表示領域１１３ｆ、ブラックインク残量表示領域１１３ｇおよび廃インク量表示領域１１３ｈについても同様である。
【００６４】
サポートインク残量表示領域１１３ａは、サポートインクのインクタンク２６におけるサポートインクの残量が特定の量を下回った場合、サポートインク残量表示領域１１３ａの対象のＵＶインク２１ａであるサポートインクを示している「サポート」の文字が強調表示されるなど、何らかの強調表示がされる。モデルインク残量表示領域１１３ｂ、クリアーインク残量表示領域１１３ｃ、シアンインク残量表示領域１１３ｄ、マゼンタインク残量表示領域１１３ｅ、イエローインク残量表示領域１１３ｆおよびブラックインク残量表示領域１１３ｇについても同様である。また、廃インク量表示領域１１３ｈは、廃インクタンク２７におけるＵＶインク２１ａの貯留量が特定の量を上回った場合、「廃インク」の文字が強調表示されるなど、何らかの強調表示がされる。
【００６５】
常時表示領域１１０は、直近で発生している、エラーやワーニングを示すエラー／ワーニング表示領域１１４ａと、プリンター制御プログラム４４ａや３Ｄプリンター２０のファームウェアのバージョンアップのためのバージョンアップ情報などの通知を行うお知らせ表示領域１１４ｂとを含んでいる。お知らせ表示領域１１４ｂは、バージョンアップ情報がある場合、アイコンが表示される。そして、このアイコンがクリックされることによって、表示制御手段４５ａは、プリンター制御プログラム４４ａや３Ｄプリンター２０のファームウェアのバージョンアップをするためのバージョンアップ画面を表示部４２に表示する。
【００６６】
常時表示領域１１０は、記憶部４４のワークフォルダーの残容量をグラフで示すＨＤＤ残量表示領域１１５ａを含んでいる。ＨＤＤ残量表示領域１１５ａは、記憶部４４のワークフォルダーの残容量が特定の容量を下回った場合、グラフの色が変わるなど、何らかの強調表示がされる。
【００６７】
表示切替領域１２０は、３Ｄプリンター２０による現在の処理対象の印刷ジョブ（以下「現在対象ジョブ」と言う。）と、３Ｄプリンター２０による処理の待機中の印刷ジョブ（以下「待機ジョブ」と言う。）とを表示するためのジョブ表示領域１３０に表示切替領域１２０の表示内容を切り替えるための造形タブ１２１と、造形結果を履歴として表示するための履歴表示領域に表示切替領域１２０の表示内容を切り替えるための履歴タブ１２２と、３Ｄプリンター２０のメンテナンスに関連する情報を表示するためのメンテナンス関連情報表示領域に表示切替領域１２０の表示内容を切り替えるためのメンテナンスタブ１２３と、ＧＵＩ１００の表示言語の設定やプリンター制御装置４０のネットワーク設定など、各種の設定のための設定表示領域に表示切替領域１２０の表示内容を切り替えるための設定タブ１２４とを備えている。
【００６８】
なお、履歴表示領域、メンテナンス関連情報表示領域および設定表示領域については、詳細な説明を省略する。
【００６９】
ジョブ表示領域１３０は、現在対象ジョブを示す現在対象ジョブ表示領域１３１と、待機ジョブを示す待機ジョブ表示領域１３５とを含んでいる。
【００７０】
現在対象ジョブ表示領域１３１は、現在対象ジョブの状態として「造形中」、「待機中」および「一時停止中」の何れかの状態を示す状態表示領域１３２ａと、現在対象ジョブの造形の進捗状況（％）をプログレスバーで示す進捗状況表示領域１３２ｂと、現在対象ジョブの完了予定時刻を示す完了予定時刻表示領域１３２ｃとを含んでいる。表示制御手段４５ａは、現在対象ジョブの造形に必要であると予測される時間（以下「造形予測時間」と言う。）を、現在対象ジョブの３Ｄモデルデータに基づいて算出可能である。そして、表示制御手段４５ａは、現在対象ジョブの造形の開始時刻に現在対象ジョブの造形予測時間を加えることによって、現在対象ジョブの完了予定時刻を算出可能である。
【００７１】
現在対象ジョブ表示領域１３１は、現在対象ジョブの造形を開始するための造形開始ボタン１３２ｄと、現在対象ジョブの造形を一時停止するための一時停止ボタン１３２ｅと、現在対象ジョブの造形を中止するためのキャンセルボタン１３２ｆとを含んでいる。造形開始ボタン１３２ｄが操作されると、現在対象ジョブの３Ｄモデルデータに基づいて生成された造形データが３Ｄプリンター２０に送信される。造形開始ボタン１３２ｄは、現在対象ジョブが無い場合や、現在対象ジョブの状態が「造形中」である場合には、グレーアウトされて操作されることができない。一時停止ボタン１３２ｅは、現在対象ジョブの状態が「造形中」である場合を除き、グレーアウトされて操作されることができない。キャンセルボタン１３２ｆは、現在対象ジョブの状態が「一時停止中」である場合を除き、グレーアウトされて操作されることができない。キャンセルボタン１３２ｆが操作されると、現在対象ジョブは、現在対象ジョブではなくなり、履歴に含められる。
【００７２】
現在対象ジョブ表示領域１３１は、現在対象ジョブの名称を示すジョブ名表示領域１３３ａと、現在対象ジョブの発行者を示す発行者表示領域１３３ｂと、現在対象ジョブの発行時刻を示す発行時刻表示領域１３３ｃと、現在対象ジョブの造形の開始時刻を示す造形開始時刻表示領域１３３ｄと、現在対象ジョブの造形予測時間を示す造形予測時間表示領域１３３ｅと、現在対象ジョブの造形のプレビューを示すプレビュー表示領域１３３ｆとを含んでいる。
【００７３】
プレビュー表示領域１３３ｆによって示されるプレビューは、３Ｄプリンター２０によって造形される三次元造形物を鉛直方向２０ａの上側から観察した場合のプレビューである。プレビュー表示領域１３３ｆによって示されるプレビューの下側に示される数値は、３Ｄプリンター２０によって造形される三次元造形物のサイズを示している。ここで、Ｘ、Ｙ、Ｚは、それぞれ、副走査方向、主走査方向２０ｂ、鉛直方向２０ａを示している。
【００７４】
現在対象ジョブ表示領域１３１は、特定の３Ｄモデルデータに基づいた３Ｄプリンター２０による印刷に対して予測されるサポートインクの使用量をグラフおよび数値で示す予測使用量表示領域としてのサポートインク予測使用量表示領域１３４ａを含んでいる。モデルインク、クリアーインク、シアンインク、マゼンタインク、イエローインク、ブラックインクについても同様に、現在対象ジョブ表示領域１３１は、モデルインク予測使用量表示領域１３４ｂ、クリアーインク予測使用量表示領域１３４ｃ、シアンインク予測使用量表示領域１３４ｄ、マゼンタインク予測使用量表示領域１３４ｅ、イエローインク予測使用量表示領域１３４ｆ、ブラックインク予測使用量表示領域１３４ｇを含んでいる。また、現在対象ジョブ表示領域１３１は、特定の３Ｄモデルデータに基づいた３Ｄプリンター２０による印刷に対して予測される、廃インクタンク２７へのＵＶインク２１ａの廃棄量を示す予測廃棄量表示領域としての廃インク量予測表示領域１３４ｈを含んでいる。
【００７５】
サポートインク予測使用量表示領域１３４ａのグラフは、サポートインクのインクタンク２６におけるサポートインクの最大貯留量を全体の矩形で示しており、特定の３Ｄモデルデータに基づいた３Ｄプリンター２０による印刷に対して予測される、サポートインクのインクタンク２６からのサポートインクの使用量を全体の矩形に含まれる左側の矩形で示している。モデルインク予測使用量表示領域１３４ｂ、クリアーインク予測使用量表示領域１３４ｃ、シアンインク予測使用量表示領域１３４ｄ、マゼンタインク予測使用量表示領域１３４ｅ、イエローインク予測使用量表示領域１３４ｆおよびブラックインク予測使用量表示領域１３４ｇについても同様である。廃インク量予測表示領域１３４ｈのグラフは、廃インクタンク２７におけるＵＶインク２１ａの最大貯留量を全体の矩形で示しており、特定の３Ｄモデルデータに基づいた３Ｄプリンター２０による印刷に対して予測される、廃インクタンク２７へのＵＶインク２１ａの廃棄量を全体の矩形に含まれる左側の矩形で示している。
【００７６】
待機ジョブ表示領域１３５は、待機ジョブをリスト形式で示す待機ジョブ一覧表示領域１３６ａを含んでいる。待機ジョブ一覧表示領域１３６ａは、待機ジョブの数が１ページ分のリストに表示可能な最大数を上回る場合、ページが切り替えられることによって全ての待機ジョブを表示可能である。待機ジョブ一覧表示領域１３６ａにおいては、表示されている待機ジョブの行がクリックされることによって、その待機ジョブが選択されることが可能である。待機ジョブ一覧表示領域１３６ａにおいては、複数の待機ジョブが同時に選択されることはできない。待機ジョブ一覧表示領域１３６ａに表示される待機ジョブには、記憶部４４に記憶されている３Ｄモデルデータや造形データのうち、その待機ジョブの３Ｄモデルデータや造形データが関連付けられている。
【００７７】
待機ジョブ表示領域１３５は、待機ジョブの合計数を示す合計数表示領域１３６ｂと、待機ジョブ一覧表示領域１３６ａに表示されているリストのページ数を示すページ数表示領域１３６ｃと、待機ジョブ一覧表示領域１３６ａに表示されているリストのページを切り替えるページ遷移ボタン１３６ｄとを含んでいる。ページ遷移ボタン１３６ｄは、待機ジョブの数が１ページ分のリストに表示可能な最大数以下である場合、グレーアウトされて操作されることができない。
【００７８】
待機ジョブ表示領域１３５は、待機ジョブ一覧表示領域１３６ａにおいて選択されている待機ジョブの造形のプレビューを示す、プレビュー表示領域１３３ｆと同様なプレビュー表示領域１３７ａと、待機ジョブ一覧表示領域１３６ａにおいて選択されている待機ジョブを待機ジョブ一覧表示領域１３６ａから削除するための削除ボタン１３７ｂと、ＵＳＢメモリーなどの外部の記憶媒体に記憶されている印刷ジョブを待機ジョブとして待機ジョブ一覧表示領域１３６ａに追加するためのジョブインポートボタン１３７ｃとを含んでいる。
【００７９】
待機ジョブ表示領域１３５は、待機ジョブ一覧表示領域１３６ａにおいて選択されている待機ジョブを現在対象ジョブに移行するための移行ボタン１３８ａを含んでいる。移行ボタン１３８ａが操作されることによって現在対象ジョブに移行した待機ジョブは、待機ジョブ一覧表示領域１３６ａから削除される。
【００８０】
次に、サポートインク残量表示領域１１３ａに表示されるサポートインクの残量を更新する場合のプリンター制御装置４０の動作について説明する。
【００８１】
図６は、サポートインク残量表示領域１１３ａに表示されるサポートインクの残量を更新する場合のプリンター制御装置４０の動作のフローチャートである。
【００８２】
図６に示すように、供給インク貯留量取得手段４５ｂは、サポートインクのインクタンク２６におけるサポートインクの貯留量を３Ｄプリンター２０から取得する（Ｓ２０１）。ここで、３Ｄプリンター２０は、例えば、サポートインクのインクタンク２６に設置されているインク量センサー３１による検出値に基づいて、サポートインクのインクタンク２６におけるサポートインクの貯留量を算出する。
【００８３】
表示制御手段４５ａは、Ｓ２０１の処理の後、Ｓ２０１において取得された貯留量をサポートインク残量表示領域１１３ａに表示して（Ｓ２０２）、図６に示す動作を終了する。
【００８４】
以上においては、サポートインク残量表示領域１１３ａについて説明しているが、モデルインク残量表示領域１１３ｂ、クリアーインク残量表示領域１１３ｃ、シアンインク残量表示領域１１３ｄ、マゼンタインク残量表示領域１１３ｅ、イエローインク残量表示領域１１３ｆおよびブラックインク残量表示領域１１３ｇについても同様である。
【００８５】
次に、廃インク量表示領域１１３ｈに表示される、廃インクタンク２７におけるＵＶインク２１ａの貯留量を更新する場合のプリンター制御装置４０の動作について説明する。
【００８６】
図７は、廃インク量表示領域１１３ｈに表示される、廃インクタンク２７におけるＵＶインク２１ａの貯留量を更新する場合のプリンター制御装置４０の動作のフローチャートである。
【００８７】
図７に示すように、廃棄インク貯留量取得手段４５ｃは、廃インクタンク２７におけるＵＶインク２１ａの貯留量を３Ｄプリンター２０から取得する（Ｓ２１１）。ここで、３Ｄプリンター２０は、例えば、廃インク量センサー３２による検出値に基づいて、廃インクタンク２７におけるＵＶインク２１ａの貯留量を算出する。
【００８８】
表示制御手段４５ａは、Ｓ２１１の処理の後、Ｓ２１１において取得された貯留量を廃インク量表示領域１１３ｈに表示して（Ｓ２１２）、図７に示す動作を終了する。
【００８９】
次に、サポートインク予測使用量表示領域１３４ａに表示されるサポートインクの使用量を更新する場合のプリンター制御装置４０の動作について説明する。
【００９０】
図８は、サポートインク予測使用量表示領域１３４ａに表示されるサポートインクの使用量を更新する場合のプリンター制御装置４０の動作のフローチャートである。
【００９１】
図８に示すように、予測使用量取得手段４５ｄは、特定の３Ｄモデルデータに基づいた３Ｄプリンター２０による印刷に対して予測されるサポートインクの使用量を、この３Ｄモデルデータと、特定の計算式とに基づいて取得する（Ｓ２２１）。ここで、予測使用量取得手段４５ｄは、特定の３Ｄモデルデータに基づいた３Ｄプリンター２０による印刷が開始されている場合、この３Ｄモデルデータに基づいた３Ｄプリンター２０による印刷に対して予測されるサポートインクの使用量として、未造形部分に対応する使用量を取得することが好ましい。
【００９２】
表示制御手段４５ａは、Ｓ２２１の処理の後、Ｓ２２１において取得された使用量をサポートインク予測使用量表示領域１３４ａに表示して（Ｓ２２２）、図８に示す動作を終了する。
【００９３】
以上においては、サポートインク予測使用量表示領域１３４ａについて説明しているが、モデルインク予測使用量表示領域１３４ｂ、クリアーインク予測使用量表示領域１３４ｃ、シアンインク予測使用量表示領域１３４ｄ、マゼンタインク予測使用量表示領域１３４ｅ、イエローインク予測使用量表示領域１３４ｆおよびブラックインク予測使用量表示領域１３４ｇについても同様である。
【００９４】
次に、廃インク量予測表示領域１３４ｈに表示される、廃インクタンク２７へのＵＶインク２１ａの廃棄量を更新する場合のプリンター制御装置４０の動作について説明する。
【００９５】
図９は、廃インク量予測表示領域１３４ｈに表示される、廃インクタンク２７へのＵＶインク２１ａの廃棄量を更新する場合のプリンター制御装置４０の動作のフローチャートである。
【００９６】
図９に示すように、予測廃棄量取得手段４５ｅは、特定の３Ｄモデルデータに基づいた３Ｄプリンター２０による印刷に対して予測される、廃インクタンク２７へのＵＶインク２１ａの廃棄量を、この３Ｄモデルデータと、特定の計算式とに基づいて取得する（Ｓ２３１）。ここで、予測使用量取得手段４５ｄは、特定の３Ｄモデルデータに基づいた３Ｄプリンター２０による印刷が開始されている場合、この３Ｄモデルデータに基づいた３Ｄプリンター２０による印刷に対して予測される、廃インクタンク２７へのＵＶインク２１ａの廃棄量として、未造形部分に対応する廃棄量を取得することが好ましい。
【００９７】
表示制御手段４５ａは、Ｓ２３１の処理の後、Ｓ２３１において取得された廃棄量を廃インク量予測表示領域１３４ｈに表示して（Ｓ２３２）、図９に示す動作を終了する。
【００９８】
以上に説明したように、プリンター制御装置４０は、サポートインクのインクタンク２６におけるサポートインクの貯留量と、特定の３Ｄモデルデータに基づいた３Ｄプリンター２０による印刷に対して予測されるサポートインクの使用量とを表示部４２に表示する（Ｓ２０２およびＳ２２２）ので、特定の３Ｄモデルデータに基づいた３Ｄプリンター２０による印刷がスムーズに実行されるためにサポートインクのインクタンク２６に補充されるべきサポートインクの量を利用者に具体的に認識させることができる。したがって、プリンター制御装置４０は、利用者による「サポートインクのインクタンク２６へのサポートインクの補充」というメンテナンスの利便性を向上することができる。
【００９９】
プリンター制御装置４０は、サポートインク残量表示領域１１３ａと、サポートインク予測使用量表示領域１３４ａとを同時に表示部４２に表示するので、特定の３Ｄモデルデータに基づいた３Ｄプリンター２０による印刷がスムーズに実行されるためにサポートインクのインクタンク２６に補充されるべきサポートインクの量を利用者に容易に認識させることができる。
【０１００】
また、プリンター制御装置４０は、サポートインク残量表示領域１１３ａと、サポートインク予測使用量表示領域１３４ａとを並べて表示部４２に表示するので、特定の３Ｄモデルデータに基づいた３Ｄプリンター２０による印刷がスムーズに実行されるためにサポートインクのインクタンク２６に補充されるべきサポートインクの量を利用者に更に容易に認識させることができる。
【０１０１】
なお、プリンター制御装置４０は、サポートインク残量表示領域１１３ａのグラフと、サポートインク予測使用量表示領域１３４ａのグラフとをＧＵＩ１００において図１０に示すように上下に並べて表示部４２に表示すれば、特定の３Ｄモデルデータに基づいた３Ｄプリンター２０による印刷がスムーズに実行されるためにサポートインクのインクタンク２６に補充されるべきか否かを利用者に容易に認識させることができる。
【０１０２】
プリンター制御装置４０は、サポートインク残量表示領域１１３ａと、サポートインク予測使用量表示領域１３４ａとを同時に表示部４２に表示する場合に、サポートインク残量表示領域１１３ａと、サポートインク予測使用量表示領域１３４ａとを並べて表示しなくても良い。
【０１０３】
また、プリンター制御装置４０は、サポートインク残量表示領域１１３ａと、サポートインク予測使用量表示領域１３４ａとを同時に表示部４２に表示しなくても良い。例えば、プリンター制御装置４０は、サポートインク残量表示領域１１３ａと、サポートインク予測使用量表示領域１３４ａとを別々の画面に表示させるようにし、表示部４２に表示される画面を切り替えることによってサポートインク残量表示領域１１３ａと、サポートインク予測使用量表示領域１３４ａとを同時に表示部４２に表示させない構成であっても良い。
【０１０４】
サポートインク残量表示領域１１３ａと、サポートインク予測使用量表示領域１３４ａとは、本実施の形態において、共にグラフおよび数値を含んでいる。しかしながら、サポートインク残量表示領域１１３ａおよびサポートインク予測使用量表示領域１３４ａの少なくとも一方は、グラフおよび数値のうち何れか一方のみを含んでいても良い。
【０１０５】
以上においてはサポートインクについて説明しているが、モデルインク、クリアーインク、シアンインク、マゼンタインク、イエローインクおよびブラックインクについても同様である。
【０１０６】
プリンター制御装置４０は、廃インクタンク２７におけるＵＶインク２１ａの貯留量と、特定の３Ｄモデルデータに基づいた３Ｄプリンター２０による印刷に対して予測される、廃インクタンク２７へのＵＶインク２１ａの廃棄量とを表示部４２に表示する（Ｓ２１２およびＳ２３２）ので、特定の３Ｄモデルデータに基づいた３Ｄプリンター２０による印刷がスムーズに実行されるために廃インクタンク２７から廃棄されるべきＵＶインク２１ａの量を利用者に具体的に認識させることができる。したがって、プリンター制御装置４０は、利用者による「廃インクタンク２７からのＵＶインク２１ａの廃棄」というメンテナンスの利便性を向上することができる。
【０１０７】
プリンター制御装置４０は、廃インク量表示領域１１３ｈと、廃インク量予測表示領域１３４ｈとを同時に表示部４２に表示するので、特定の３Ｄモデルデータに基づいた３Ｄプリンター２０による印刷がスムーズに実行されるために廃インクタンク２７から廃棄されるべきＵＶインク２１ａの量を利用者に容易に認識させることができる。
【０１０８】
また、プリンター制御装置４０は、廃インク量表示領域１１３ｈと、廃インク量予測表示領域１３４ｈとを並べて表示部４２に表示するので、特定の３Ｄモデルデータに基づいた３Ｄプリンター２０による印刷がスムーズに実行されるために廃インクタンク２７から廃棄されるべきＵＶインク２１ａの量を利用者に更に容易に認識させることができる。
【０１０９】
なお、プリンター制御装置４０は、廃インク量表示領域１１３ｈのグラフと、廃インク量予測表示領域１３４ｈのグラフとをＧＵＩ１００において図１０に示すように上下に並べて表示部４２に表示すれば、特定の３Ｄモデルデータに基づいた３Ｄプリンター２０による印刷がスムーズに実行されるために廃インクタンク２７からＵＶインク２１ａが廃棄されるべきか否かを利用者に容易に認識させることができる。
【０１１０】
プリンター制御装置４０は、廃インク量表示領域１１３ｈと、廃インク量予測表示領域１３４ｈとを同時に表示部４２に表示する場合に、廃インク量表示領域１１３ｈと、廃インク量予測表示領域１３４ｈとを並べて表示しなくても良い。
【０１１１】
また、プリンター制御装置４０は、廃インク量表示領域１１３ｈと、廃インク量予測表示領域１３４ｈとを同時に表示部４２に表示しなくても良い。例えば、プリンター制御装置４０は、廃インク量表示領域１１３ｈと、廃インク量予測表示領域１３４ｈとを別々の画面に表示させるようにし、表示部４２に表示される画面を切り替えることによって廃インク量表示領域１１３ｈと、廃インク量予測表示領域１３４ｈとを同時に表示部４２に表示させない構成であっても良い。
【０１１２】
廃インク量表示領域１１３ｈと、廃インク量予測表示領域１３４ｈとは、本実施の形態において、共にグラフおよび数値を含んでいる。しかしながら、廃インク量表示領域１１３ｈおよび廃インク量予測表示領域１３４ｈの少なくとも一方は、グラフおよび数値のうち何れか一方のみを含んでいても良い。
【０１１３】
三次元造形システム１０は、本実施の形態において、ＧＵＩ１００をプリンター制御装置４０の表示部４２に表示させる。しかしながら、三次元造形システム１０は、ＧＵＩ１００と同様なＧＵＩを３Ｄプリンター２０の表示部３４に表示させても良い。３Ｄプリンター２０の表示部３４に表示させたＧＵＩは、例えば操作部３３によって操作される。
【０１１４】
三次元造形システム１０は、本実施の形態において、３Ｄプリンター２０およびプリンター制御装置４０を備えている。しかしながら、三次元造形システム１０は、上述したプリンター制御装置４０の機能を３Ｄプリンター２０が備えている場合には、プリンター制御装置４０を備えていなくても良い。
【０１１５】
本実施の形態においては、三次元造形システム、すなわち、三次元の印刷システムについて説明している。しかしながら、本発明は、二次元の印刷システムにも適用可能である。
【符号の説明】
【０１１６】
２０  ３Ｄプリンター（インクジェットプリンター）
２１ａ  ＵＶインク（インク）
２６  インクタンク（供給インク貯留部）
２７  廃インクタンク（廃棄インク貯留部）
４０  プリンター制御装置（インク量表示装置、コンピューター）
４２  表示部（表示デバイス）
４４ａ  プリンター制御プログラム（インク量表示プログラム）
４５ａ  表示制御手段
４５ｂ  供給インク貯留量取得手段
４５ｃ  廃棄インク貯留量取得手段
４５ｄ  予測使用量取得手段
４５ｅ  予測廃棄量取得手段
１００  ＧＵＩ（グラフィカルユーザーインターフェイス）
１１３ａ  サポートインク残量表示領域（供給インク貯留量表示領域）
１１３ｂ  モデルインク残量表示領域（供給インク貯留量表示領域）
１１３ｃ  クリアーインク残量表示領域（供給インク貯留量表示領域）
１１３ｄ  シアンインク残量表示領域（供給インク貯留量表示領域）
１１３ｅ  マゼンタインク残量表示領域（供給インク貯留量表示領域）
１１３ｆ  イエローインク残量表示領域（供給インク貯留量表示領域）
１１３ｇ  ブラックインク残量表示領域（供給インク貯留量表示領域）
１１３ｈ  廃インク量表示領域（廃棄インク貯留量表示領域）
１３４ａ  サポートインク予測使用量表示領域（予測使用量表示領域）
１３４ｂ  モデルインク予測使用量表示領域（予測使用量表示領域）
１３４ｃ  クリアーインク予測使用量表示領域（予測使用量表示領域）
１３４ｄ  シアンインク予測使用量表示領域（予測使用量表示領域）
１３４ｅ  マゼンタインク予測使用量表示領域（予測使用量表示領域）
１３４ｆ  イエローインク予測使用量表示領域（予測使用量表示領域）
１３４ｇ  ブラックインク予測使用量表示領域（予測使用量表示領域）
１３４ｈ  廃インク量予測表示領域（予測廃棄量表示領域）
【図１】
2018089776.tif 000003
【図２】
2018089776.tif 000004
【図３】
2018089776.tif 000005
【図４】
2018089776.tif 000006
【図５】
2018089776.tif 000007
【図６】
2018089776.tif 000008
【図７】
2018089776.tif 000009
【図８】
2018089776.tif 000010
【図９】
2018089776.tif 000011
【図１０】
2018089776.tif 000012